(57)【要約】      （修正有）【課題】折畳み式になった軽い携帯用書見台で、本の傾斜角度や本の高さを調整できる書見台を提供する。【解決手段】書見台の脚部板に嵌着された２個のネオジムマグネット板と基盤台板の上面に貼着された５枚のスチール板の吸着の組み合わせによって書見板の傾斜角度を４５度から７５度の５段階で容易に調節し、書見板に具設したテーパーピンとそれを嵌入できる５個のピン穴を書見板支持板に穿設することによって、書見板の高さを５段階で容易に調整できる。【選択図】図５
0003168311.tif 000002
【実用新案登録請求の範囲】
【請求項１】
本考案は、本を載せる板（１）（以下「書見板」という。）、書見板（１）を内側から支える板（２）（以下「書見板支持板」という。）、書見板支持板（２）を下から支える板（３）（以下「脚部板」という。）、書見板支持板（２）を背後から支える板（４）(以下「後背部支持板」という。)及び後背部支持板（４)を下から支える板（５）(以下「基盤台板」という。)の５枚の板から構成される書見台で、書見板支持板（２）と後背部支持板（４）とが書見板支持板（２）の裏側の中央部で蝶着されて蝶番部（６）を構成するとともに、後背部支持板（４）がその下端部で基盤台板（５）の後端部と蝶着され蝶番部（６）を構成し、さらに、書見板支持板（２）の下端部と脚部板（３）の前端部とが蝶着され蝶番部（６）を構成し、脚部板（３）の中央部の下面には手前から後方へ向かい一列に約２センチメートルの間隔を置いて２個のネジオムマグネット板（７）が嵌着され、加えて、基盤台板（５）の上面中央の手前から後方へ向かって一列に等間隔で5枚のスチール板（１３）を貼着した書見台。
【請求項２】
本考案は、書見板（１）がその中に書見板支持板（２）を包囲して書見板（１）が書見
板支持板（２）の外側で上下に摺動するようにし、書見板（１）の下方に本を載せる台（８）（以下「書載台」という。）を凸設し、その書載台（８）の中央下部にテーパーピン（９）を挿通摺動させるテーパーピン枠（１０）を凸設するとともに、当該部における書見板（１）に前後に摺動するテーパーピン（９）を挿通する書見板孔（１１）を穿設した請求項１記載の書見台。
【請求項３】
本考案は、書見板支持板（２）の中央の下方から上方へ向かって一列にテーパーピン（９）が嵌入できる５個のピン穴（１２）を等間隔で穿設し、書見板（１）に具設されたテーパーピン（９）をそのいずれかの穴に挿通固定することによって、書見板（１）の高さを５段階に調整でき、基盤台板（５）の上で前後に自在に滑動する脚部板（３）の下面に嵌着された２個のネオジムマグネット板（７）が基盤台板（５）の上の5枚のスチール板（１３）のいずれかに磁力で吸着固定されることによって、書見板（１）の傾斜角度を４５度から７５度の間において5段階に調整できる請求項１記載の書見台。
【請求項４】
本考案は、書見板（１）及び書見板支持板（２）の上部に、本件書見台を手で持ち上げるための取っ手の空間部（１４）を削成し、後背部支持板（４）の下端部と基盤台板（５）の後端部との蝶番部（６）の中に、足組みした片足の膝頭が入るアーチ形空間部（１５）を削成することによって、脚組みした膝上に本考案の書見台を置いて書見することを可能にするとともに、書見板（１）の下方に凸設された書載台（８）の上に本を載置して左右に開いた本のページ部（１６）から手を離しても本のページ部（１６）が閉じられないように書見板（１）の適宜な場所に本のページ部（１６）留める用具である移動自在のバインダー (１７）（以下「移動自在バインダー」という。）を装備した請求項１記載の書見台。
【考案の詳細な説明】
【技術分野】
【０００１】
本考案は、本を読む者が額を俯けにせず、目や肩、首、手に負担のかからない自然で楽な姿勢で読書することを可能にする書見台で、そのうえ、嵩張らず、手軽に図書館や旅先に携行して机上に限らず膝上や枕上などでも書見出来る折畳み式の書見台に関する。  
【背景技術】
【０００２】
市販の書見台の多くは、立体的であり図書館や旅先へ携行して使うには嵩張ってそれなりの荷物になる。
【０００３】
従来の携帯用書見台は構造が複雑なものが多く、その使用は机上に限定されるうえ、本の保持や見開きページの固定に安定感を欠き、また、書面の高さが固定され,その傾斜角度の選択の幅も限られているものが多い。
【０００４】
【特許文献１】特開２００２−２０９６４１号公報特開平０７−３１３２６０号公報実開平０６−００７５４１号公報
【考案の開示】
【考案が解決しようとする課題】
【０００５】
解決しようとする課題は、市販の多くの書見台は立体的になっており、気軽に図書館や旅先へ持っていけるようになっておらず、仮に携帯用となっていたものがあったとしても、その使用は机上に限定され、載置する本の高さの調整ができなかったり、本の傾斜角度の幅も限られ、本のページ押さえも確実には行えず、本の上に手を載せてその余白に筆圧を加えて線を引いたりメモできなかったり、両手を自由にして読書できるようになっておらず、それらの難点を解消することである。
【課題を解決するための手段】
【０００６】
本考案の書見台は、本を載せる書見板（１）を内側から支える書見板支持板（２）、書見板支持板（２）を下から支える脚部板（３）、書見板支持板（２）を背後から支える後背部支持板（４）及び後背部支持板（４)を下から支える基盤台板（５）の５枚の板から構成される。
【０００７】
書見板支持板（２）と後背部支持板（４）とが書見板支持板（２）の裏面中央部で蝶着され、後背部支持板（４）がその下端部で基盤台板（５）の後端部と蝶着される構造になっており折畳み式の携帯用となっている。
【０００８】
書見板支持板（２）の下端部と脚部板（３）の前端部とは蝶着されて蝶番部（６）を構成し、脚部板（３）の下面には２個のネオジムマグネット板（７）が嵌着されている。
【０００９】
本考案の書見台は、書見板（１）が書見板支持板（２）をその上部及び左右から包囲する構造になっており、書見板（１）が書見板支持板（２）の外側で上下に摺動する。
【００１０】
本考案の書見台は、書見板（１）の下方に本を載せる書載台（８）の中央下部にテーパーピン（９）を挿通摺動させるテーパーピン枠（１０）を凸設するとともに、テーパーピン枠（１０）が凸設された部分の書見板（１）に、前後に摺動するテーパーピン（９）が挿通する書見板孔（１１）を穿設する。
【００１１】
本考案の書見台は、書見板支持板（２）の中央の下方から上方へ向かって一列にテーパーピン（９）が嵌入できる５個のピン穴（１２）を等間隔で穿設する。
【００１２】
本考案の書見台は、基盤台板（５）の上面中央の手前から後方へ向かって一列に等間隔で5枚のスチール板（１３）を貼着し、基盤台板（５）の上で前後に自在に滑動する脚部板（３）の底面に嵌着された２個のネオジムマグネット板（７）が5枚のスチール板（１３）のいずれかに磁力で吸着固定されるようにする。
【００１３】
本考案の書見台は、書見板（１）及び書見板支持板（２）の上部に、本考案の書見台を手で持ち上げるための取っ手の空間部（１４）を削成し、後背部支持板（４）の下端部と基盤台板（５）の後端部との蝶番部（６）の中に、足組みした片足の膝頭が入るアーチ形空間部（１５）を削成する。
【００１４】
本考案の書見台は、書見板（１）の下方に凸設された書載台（８）の上に本を載置して左右に開いた本のページ部（１６）から手を離しても本のページ部（１６）が閉じられないように書見板（１）の適宜な場所に本のページ部（１６）留める用具である移動自在バインダー（１７）を装備する。
【考案の効果】
【００１５】
本考案の書見台は、強化ダンボール紙や桐材などの軽い素材で作られ、折畳み式となっているので、折畳んで気軽に鞄の中などに入れて、図書館や旅先へ持って行って使える。
【００１６】
本考案の書見台は、書見板（１）及び書見板支持板（２）の上部に、本考案の書見台を手で持ち上げるための取っ手の空間部（１４）を削成したので、書見台の取り扱いを容易にするとともに、後背部支持板（４）の下端部と基盤台板（５）の後端部との蝶番部（６）の中に、足組みした片足の膝頭が入るアーチ形空間部（１５）を削成したので、脚組みした膝頭上でも書見できる。
【００１７】
本考案の書見台では開けたページが閉じられないように留める移動自在バインダー（１７）を使うので、ページを押さえる煩わしさから開放され、両手を自由にして読書できる。
【００１８】
本考案の書見台は、書見板支持板（２）を支える脚部板（３）を基盤台板（５）の上で滑動させ、脚部板（３）の下面に嵌着されたネオジムマグネット板（７）を基盤台板（５）の上に貼着した5枚のスチール板（１３）のいずれかに磁力で吸着固定させることにより、書見板（１）の傾斜角度を45度から75度の間において５段階に容易に調整できる。
【００１９】
本考案の書見台は、テーパーピン（９）をテーパーピン（９）が挿通できる５個のピン穴（１２）のいずれかを選択して嵌入固定することによって、本の高さを５段階に容易に調整できるので、上記００１８と合わせて２５段階の形態が選択できる。
【００２０】
本考案の書見台は、本が移動自在バインダー（１７）によってしっかりと書見台に固定されるので、机上での書見に限られることなく、膝上で脚組みした片足の膝頭の上に書見台を置いて書見したり、片手で後背部支持板（４）を把持し、基盤台板（５）の手前の前端部を胸の上に乗せることによって、両手で本や書見台の重みを持ち堪えることなく楽な仰臥書見を可能にするとともに横臥書見も自在にできる万能書見台である。
【考案を実施するための最良の形態】
【００２１】
図１（組立て時の正面図）、図２（組立て時の平面図）、図３（組立て時の右側面図）、図４(組立て時の背面図)、図６（折畳み時の右側面図）、図７（折畳み時の底面図）に示す書見台を作る。
【００２２】
本考案の書見台の書見板（１）の下方部に凸設された書載台（８）より上の書見板（１）の寸法は、縦２５．７ｃｍ、横２１ｃｍとなっており、文庫本から週刊誌までを安定的に載置できる。
【実施例１】
【００２３】
図５は、本考案書見台の斜視図で、書見板（１）に具設されたテーパーピン（９）を書見板支持板（２）に穿設された５つのピン穴（１２）のうち下から３番目のピン穴（１２）に嵌入して書見板（１）の高さを固定し、書見板（１）の下の脚部板（３）の下面に嵌着されたネオジムマグネット板（７）を基盤台板（５）の上面に貼着した5枚のスチール板（１３）のうち手前から３番目のスチール板（１３）に吸着固定させて、書見板（１）の傾斜角度を６０度にした実施例である。
【実施例２】
【００２４】
図９は、本考案書見台の書見板（１）を最下段にまで下げ、書見板支持板（２）、脚部板（３）、後背部支持板（４）及び基盤台板（５）のそれぞれの蝶番部（６）を折畳んだときの実施例で斜視図である。
【実施例３】
【００２５】
図１０は、本考案書見台の組立て時の斜視図で、書見板（１）の下方部に凸設した書載台(８)の上で見開いた単行本のページ部（１６）が閉じられないように押さえるための用具である移動自在バインダー（１７）を使って見開いた本を書見板（１）に留めて書見するときの実施例である。
【図面の簡単な説明】
【００２６】
【図１】組立て時の書見台の正面図
【図２】組立て時の書見台の平面図
【図３】組立て時の書見台の右側面図
【図４】組立て時の書見台の背面図
【図５】組立て時の書見台の斜視図
【図６】テーパーピンの斜視図
【図７】折畳み時の書見台の右側面図
【図８】折畳み時の書見台の底面図
【図９】折畳み時の書見台の斜視図
【図１０】本考案の書見台に単行本を載せた時の斜視図（本の傾斜角度を６０度に設定）
【符号の説明】
【００２７】
（１）  書見板
（２）  書見板支持板
（３）  脚部板
（４）  後背部支持板
（５）  基盤台板
（６）  蝶番部
（７）  ネオジムマグネット板
（８）  書載台
（９）  テーパーピン
（１０）テーパーピン枠
（１１）書見板孔
（１２）ピン穴
（１３）スチール板
（１４）取っ手の空間部
（１５）アーチ形空間部
（１６）単行本のページ部
（１７）移動自在バインダー
（１８）摘み部
【図１】
0003168311.tif 000003
【図２】
0003168311.tif 000004
【図３】
0003168311.tif 000005
【図４】
0003168311.tif 000006
【図５】
0003168311.tif 000007
【図６】
0003168311.tif 000008
【図７】
0003168311.tif 000009
【図８】
0003168311.tif 000010
【図９】
0003168311.tif 000011
【図１０】
0003168311.tif 000012
【手続補正書】
【提出日】平成23年3月8日(2011.3.8)
【手続補正１】
【補正対象書類名】図面
【補正対象項目名】全図
【補正方法】変更
【補正の内容】
【図１】
0003168311.tif 000013
【図２】
0003168311.tif 000014
【図３】
0003168311.tif 000015
【図４】
0003168311.tif 000016
【図５】
0003168311.tif 000017
【図６】
0003168311.tif 000018
【図７】
0003168311.tif 000019
【図８】
0003168311.tif 000020
【図９】
0003168311.tif 000021
【図１０】
0003168311.tif 000022
【手続補正書】
【提出日】平成23年3月23日(2011.3.23)
【手続補正１】
【補正対象書類名】図面
【補正対象項目名】図１１
【補正方法】追加
【補正の内容】
【図１１】
0003168311.tif 000023
【手続補正書】
【提出日】平成23年4月27日(2011.4.27)
【手続補正１】
【補正対象書類名】手続補正書
【補正対象項目名】手続補正２
【補正方法】追加
【補正の内容】
【手続補正２】
【補正対象書類名】明細書
【補正対象項目名】００２６
【補正方法】変更
【補正の内容】
【００２６】
【図１】組立て時の書見台の正面図
【図２】組立て時の書見台の平面図
【図３】組立て時の書見台の右側面図
【図４】組立て時の書見台の背面図
【図５】組立て時の書見台の斜視図
【図６】テーパーピンの斜視図
【図７】折畳み時の書見台の右側面図
【図８】折畳み時の書見台の底面図
【図９】折畳み時の書見台の斜視図
【図１０】本考案の書見台に単行本を載せた時の斜視図（本の傾斜角度を６０度に設定）
【図１１】組立て時の書見台の透視斜視図